【手続補正書】
【提出日】平成15年9月11日(2003.9.11)
【手続補正１】
【補正対象書類名】明細書
【補正対象項目名】発明の名称
【補正方法】変更
【補正の内容】
【発明の名称】液晶表示装置および半導体集積回路装置
【手続補正２】
【補正対象書類名】明細書
【補正対象項目名】特許請求の範囲
【補正方法】変更
【補正の内容】
【特許請求の範囲】
【請求項１】
液晶表示素子と、液晶駆動回路とを備える液晶表示装置であって、
前記液晶駆動回路は、内部クロック信号の第１レベルから第２レベルへの切り替わり、あるいは、第２レベルから第１レベルへの切り替わりのタイミングで、前記液晶駆動回路に入力された映像信号をバスに取り込み、前記バスに取り込まれた映像信号から前記液晶表示素子を駆動する電圧を選択し、
前記内部クロック信号は、クロック補償回路により、前記液晶駆動回路に入力される外部クロック信号の第１レベル期間と第２レベル期間とをそれぞれ所定の値に揃えたクロック信号であることを特徴とする液晶表示装置。
【請求項２】
液晶表示素子と、液晶駆動回路とを備える液晶表示装置であって、
前記液晶駆動回路は、内部クロック信号の第１レベル、あるいは第２レベルへの切り替わりのタイミングで、前記液晶駆動回路に入力された映像信号をバスに取り込み、前記バスに取り込まれた映像信号から前記液晶表示素子を駆動する電圧を選択し、
前記内部クロック信号は、前記液晶駆動回路に入力される外部クロック信号に基づき、ディレイロックドループ回路を用いて生成されたクロック信号であることを特徴とする液晶表示装置。
【請求項３】
液晶表示素子と、液晶駆動回路とを備える液晶表示装置であって、
前記液晶駆動回路は、内部クロック信号の第１レベルから第２レベルへの切り替わりと、第２レベルから第１レベルへの切り替わりのタイミングで、前記液晶駆動回路に入力された映像信号を内部回路に取り込み、前記内部回路に取り込まれた映像信号から前記液晶表示素子を駆動する電圧を選択し、
前記内部クロック信号は、クロック補償回路により、前記液晶駆動回路に入力される外部クロック信号の第１レベル期間と第２レベル期間とをそれぞれ所定の値に揃えたクロック信号であることを特徴とする液晶表示装置。
【請求項４】
液晶表示素子と、液晶駆動回路とを備える液晶表示装置であって、
前記液晶駆動回路は、内部クロック信号の第１レベルから第２レベルへの切り替わりと、第２レベルから第１レベルへの切り替わりのタイミングで、前記液晶駆動回路に入力された映像信号を２系統のバスに取り込み、前記２系統のバスに取り込まれた映像信号から前記液晶表示素子を駆動する電圧を選択し、
前記内部クロック信号は、前記液晶駆動回路に入力される外部クロック信号に基づき、フェーズロックドループ回路を用いて生成されたクロック信号であることを特徴とする液晶表示装置。
【請求項５】
液晶表示素子と、第１の液晶駆動回路と第２の液晶駆動回路とを備える液晶表示装置であって、
前記第１および第２の液晶駆動回路は、前記液晶駆動回路に入力される外部クロック信号の第１レベル、あるいは第２レベルへの切り替わりのタイミングで、前記液晶駆動回路に入力された映像信号をバスに取り込み、前記バスに取り込まれた映像信号から前記液晶表示素子を駆動する電圧を選択し、
前記第１の液晶駆動回路は、前記入力された映像信号と、内部クロック信号とを、前記第２の液晶駆動回路に出力する出力回路を有し、
前記内部クロック信号は、クロック補償回路により、前記液晶駆動回路に入力される外部クロック信号の第１レベル期間と第２レベル期間とをそれぞれ所定の値に揃えたクロック信号であることを特徴とする液晶表示装置。
【請求項６】
前記クロック補償回路は、フェーズロックドループ回路を有することを特徴とする請求項５に記載の液晶表示装置。
【請求項７】
前記クロック補償回路は、ディレイロックドループ回路を有することを特徴とする請求項５に記載の液晶表示装置。
【請求項８】
前記第１の液晶駆動回路のクロック信号の出力回路と、映像信号の出力回路とは、異なる系統の電源から電力が供給されることを特徴とする請求項５に記載の液晶表示装置。
【請求項９】
液晶表示素子と、第１の液晶駆動回路と第２の液晶駆動回路とを備える液晶表示装置であって、
前記第１の液晶駆動回路および第２の液晶駆動回路は、内部クロック信号の第１レベルから第２レベルへの切り替わり、あるいは第２レベルから第１レベルへの切り替わりの少なくとも一方のタイミングで、前記各液晶駆動回路に入力された映像信号をバスに取り込み、前記バスに取り込まれた映像信号から前記液晶表示素子を駆動する電圧を選択し、
前記第１の液晶駆動回路および第２の液晶駆動回路は、前記各液晶駆動回路に入力される第１のクロック信号を取り込む第１のクロック信号系統と、前記第１のクロック信号を反転した第２のクロック信号を取り込む第２のクロック信号系統とを有し、
前記第１の液晶駆動回路は、前記第１のクロック信号を反転したクロック信号を、前記第２の液晶駆動回路の第２のクロック信号系統に供給することを特徴とする液晶表示装置。
【請求項１０】
前記第１の液晶駆動回路は、前記第２のクロック信号を反転したクロック信号を、前記第１のクロック信号系統に供給することを特徴とする請求項９に記載の液晶表示装置。
【請求項１１】
液晶表示素子と、液晶駆動回路とを有する液晶表示装置において、
前記液晶駆動回路は、液晶表示素子上に複数個設けられ、
前記液晶表示素子には、液晶駆動回路間を接続する配線が設けられ、
前記配線により、外部映像信号と外部クロック信号とが、液晶駆動回路から次段の液晶駆動回路に伝えられ、
前記液晶駆動回路は、外部映像信号が入力し、内部映像信号をデータバスに出力するデータ取込演算回路と、
外部クロック信号が入力し、内部クロック信号を出力するクロック制御回路と、
内部クロック信号の電圧が第１の電圧から第２の電圧に切り替わるタイミングと第２の電圧から第１の電圧に切り替わるタイミングとで、内部映像信号を格納するデータラッチ回路と、
データラッチ回路からの信号を基に、液晶表示素子を駆動する電圧を選択し出力する電圧選択回路と、
外部映像信号と外部クロック信号とを次段の液晶駆動回路に出力するデータ出力回路とを有し、
データ出力回路には、クロック信号のデューティ比の変動を補償するクロック補償回路が設けられることを特徴とする液晶表示装置。
【請求項１２】
前記クロック補償回路は、フェーズロックドループ回路を有することを特徴とする請求項１１に記載の液晶表示装置。
【請求項１３】
前記クロック補償回路は、ディレイロックドループ回路を有することを特徴とする請求項１１に記載の液晶表示装置。
【請求項１４】
前記データバスは、２系統の信号線からなることを特徴とする請求項１１に記載の液晶表示装置。
【請求項１５】
液晶表示素子と、液晶駆動回路とを有する液晶表示装置において、
前記液晶駆動回路は、映像信号が入力するデータ入力端子と、
外部クロック信号を入力し、内部クロック信号を出力するクロック制御回路と、
内部クロック信号が切り替わるタイミングで、映像信号を取り込むデータ取込演算回路と、
データ取込演算回路から映像信号が出力する内部バスラインと、
内部バスライン上の映像信号に対応する階調電圧を液晶表示素子に出力する電圧出力回路と、
映像信号と内部クロック信号とを基に、次段の液晶駆動回路に信号を出力するデータ出力回路とを有し、
前記データ出力回路は、クロック形成回路を有し、内部クロック信号を修正して外部クロック信号として出力することを特徴とする液晶表示装置。
【請求項１６】
前記クロック形成回路は、フェーズロックドループ回路を有することを特徴とする請求項１５に記載の液晶表示装置。
【請求項１７】
前記クロック形成回路は、ディレイロックドループ回路を有することを特徴とする請求項１５に記載の液晶表示装置。
【請求項１８】
外部から入力された映像信号をデータバスに出力するデータ取込演算回路と、
外部から入力されたクロック信号に基づき、内部クロック信号を出力するクロック制御回路と、
前記内部クロック信号が切り替わるタイミングで、前記データバス上のデータを格納するデータラッチ回路と、
前記データラッチ回路からのデータを基に階調電圧を選択し、出力する電圧選択回路と、
前記外部から入力された映像信号と前記外部から入力されたクロック信号とに基づき、外部映像信号と外部クロック信号とを出力するデータ出力回路とを有し、
前記データ出力回路は、クロック信号のデューティ比の変動を補償するクロック補償回路が設けられていることを特徴とする半導体集積回路装置。
【請求項１９】
前記クロック補償回路は、ディレイロックドループ回路を有することを特徴とする請求項１８に記載の半導体集積回路装置。